(57)【特許請求の範囲】
【請求項１】
電磁スペクトルの所与の関連部分に対して少なくとも１０%の透明度を有するOLEDデバイスであって、
前記電磁スペクトルの所与の関連部分は、当該OLEDデバイスによって放出される波長と、環境光の波長を有し、
当該OLEDデバイスは：
第１透明電極層によって形成されるアノード；
第２透明電極層によって形成されるカソード；
前記アノードと前記カソードの間に設けられた有機層；及び、
前記アノード又は前記カソードのいずれかの面に直接的又は間接的に設けられたミラー層；
を有し、
前記有機層、前記アノード、及び前記カソードは、少なくとも１つのエレクトロルミネッセント領域と、少なくとも１つの不活性領域、つまり非エレクトロルミネッセント領域を有する構造を前記有機層内に構成し、
前記構造の構成は、前記有機層を各異なるエレクトロルミネッセント特性を有する複数の領域をなすような構造にするか、又は、前記陽極及び/若しくは陰極を各異なる電荷注入特性を有する複数の領域をなすような構造にすることによって実現され、
前記ミラー層は、前記有機層のエレクトロルミネッセント領域に対して位置合わせされた少なくとも１つの非透明領域と、前記有機層の不活性領域に対して位置合わせされた少なくとも１つの透明領域を備えた構造を有し、該構造により、当該OLEDデバイスは光放出の基本方向を有し、
前記アノード、前記カソード及び前記有機層に対して垂直な位置合わせ軸に沿って、前記有機層の前記少なくとも１つの不活性領域が、前記ミラー層の前記少なくとも１つの透明領域と、局所的に完全に位置合わせされており、前記有機層の前記少なくとも１つのエレクトロルミネッセント領域が、前記ミラー層の前記少なくとも１つの非透明領域と、局所的に完全に位置合わせされている、
ことを特徴とするOLEDデバイス。
【請求項２】
前記有機層と前記ミラー層の構造が、部分的にのみ位置合わせされていることを特徴とする、請求項１に記載のOLEDデバイス。
【請求項３】
前記ミラー層の非透明領域が、前記有機層に対向する面で反射性を示すことを特徴とする、請求項１に記載のOLEDデバイス。
【請求項４】
前記ミラー層の非透明領域が金属を有し、
前記金属は、Ag,Al,Cu,及び/又はAuである、
ことを特徴とする、請求項１に記載のOLEDデバイス。
【請求項５】
前記非透明領域が、前記ミラー層の面積の１０%乃至９０%を覆うことを特徴とする、請求項１に記載のOLEDデバイス。
【請求項６】
前記ミラー層の非透明領域が、規則的若しくは不規則的に分布する点又はストライプの形状をとることを特徴とする、請求項１に記載のOLEDデバイス。
【請求項７】
前記ミラー層の透明領域及び/又は非透明領域が、１μm乃至１００μmの直径を有することを特徴とする、請求項１に記載のOLEDデバイス。
【請求項８】
多層ユニットの積層体を有するOLEDデバイスであって、
前記多層ユニットの各々は、アノード、有機層、及びカソードを有し、
前記有機層は各異なる発光特性を有する、
ことを特徴とする請求項１に記載のOLEDデバイス。
【請求項９】
請求項１に記載のOLEDデバイスによって構成された画素のパターンを有する、OLEDディスプレイ。
【請求項１０】
請求項１に記載のOLEDデバイスの製造方法であって、
アノードとカソードの間にエレクトロルミネッセント有機層を調製する工程；
前記有機層に高強度の光を照射することによって少なくとも１つの領域内において前記の調製されたエレクトロルミネッセント有機層を削除することで、エレクトロルミネッセント領域と不活性領域からなる構造を生成する工程；
前記アノード又は前記カソードに構造を有するミラー層を堆積する工程であって、前記ミラー層の少なくとも１つの非透明領域はエレクトロルミネッセント領域に対して位置合わせされ、かつ、少なくとも１つの透明領域は前記の構造を有する有機層の不活性領域に対して位置合わせされることで、当該OLEDデバイスは光放出の基本方向を有する、工程；
を有する方法。
【請求項１１】
請求項１に記載のＯＬＥＤデバイスの製造方法であって、
アノードとカソードの間にエレクトロルミネッセント有機層を調製する工程；
前記アノード又は前記カソードに構造を有するミラー層を堆積する工程；及び
前記有機層に高強度の光を照射することによって少なくとも１つの領域内において前記の調製されたエレクトロルミネッセント有機層を削除し、これにより、マスクとして機能する前記構造を有するミラー層のおかげで、エレクトロルミネッセント領域と不活性領域からなる構造を生成する工程；
を有する方法。
【請求項１２】
窓、温室灯、又は表示ランプとしての、請求項１に記載のOLEDデバイス又は請求項９に記載のOLEDディスプレイの使用。
【発明の詳細な説明】
【技術分野】
【０００１】
本発明は、有機エレクトロルミネッセント層が間に設けられているアノードとカソードを有するOLED（有機発光ダイオード）デバイスに関する。しかも本発明は、当該OLEDデバイスを有するOLEDディスプレイ、及び当該OLEDデバイスの製造方法に関する。
【背景技術】
【０００２】
特許文献1から、2つの透明電極間にエレクトロルミネッセント有機層を有する透明OLEDデバイスが知られている。前記透明電極は、光の波長に匹敵するほどに小さな寸法を有する導電性素子−たとえば金属粒子−のパターンによって形成される。前記OLEDデバイスは、前面から背面へ向かうように光を放出する。
【先行技術文献】
【特許文献】
【０００３】
【特許文献１】米国特許出願公開第2002/0130605A1明細書
【特許文献２】欧州特許出願公開第07119048.2明細書
【特許文献３】欧州特許出願公開第08160087.6明細書
【発明の概要】
【発明が解決しようとする課題】
【０００４】
上記背景技術に基づき、本発明の目的は、改善された機能を有するOLEDデバイスを供することである。前記改善された機能においては、当該OLEDデバイスは透明であり、かつ光を放出する主な方向が調節可能であることが望ましい。
【課題を解決するための手段】
【０００５】
上記目的は、請求項1に記載のOLEDデバイス、請求項11に記載のOLEDディスプレイ、請求項12に記載の方法、及び請求項15に記載の使用によって実現される。好適実施例は従属請求項にて開示されている。
【０００６】
本発明の第1態様によると、本発明はOLEDデバイスに関する。「OLED」という語は、当該デバイスが、有機発光ダイオード(OLED)から周知となった方法で、有機層のエレクトロルミネッセンスによって光を発生することを意味する。当該OLEDデバイスは以下の構成部材を有する。
−  第1透明電極層。当該OLEDデバイスの動作中、前記第1透明電極層は通常、該第1透明電極層の対向電極（「カソード」）よりも低い電位で駆動することを表すため、以降この層のことを簡単に「アノード」と呼ぶことにする。しかし一般的には、この記載は前記第1透明電極層の設計に対する限定を意味するものではない。しかも「透明」という語は、電磁スペクトルの所与の関係部分に対するものと解される。前記所与の関係部分は一般的に、OLEDデバイスによって放出される波長及び環境光の波長を有する。しかも対象が、上述の関係するスペクトル範囲において、少なくとも10%、好適には少なくとも50%で、最も好適には少なくとも90%の透過率を有する場合には、その対象物は「透明」なものと呼ばれる。
−  以降において「カソード」と呼ばれる第2透明電極層。この層については、前記アノードについての見解と類似した見解が適用される。
−  前記アノードと前記カソードとの間に設けられた有機層。しかも前記アノード及び前記カソードは前記有機層中で機能的構造を構成する。前記機能的構造は、少なくとも1のエレクトロルミネッセント領域と少なくとも1つの非エレクトロルミネッセント領域を有する。以降では、前記非エレクトロルミネッセント領域は「不活性領域」と呼ばれる。エレクトロルミネッセンスによって光を発生させることのできる適切な有機材料は従来のOLEDから周知である。「層」という語は、特に有機層の場合では、多層構造を有することを意味することに留意して欲しい。
−  以降において「ミラー層」と呼ばれ、かつ、前記有機層のエレクトロルミネッセント領域に対して位置合わせされている少なくとも1つの非透明領域、及び前記有機層の不活性領域に対して位置合わせされている少なくとも1つの透明領域を備えた構造を有する追加層。関係するスペクトル範囲における領域の透過率が、5%未満で、好適には0%である場合、その領域は「非透明」であると呼ばれる。前記ミラー層はたとえば、前記アノード又はカソードのいずれかの面上に直接的又は間接的に設けられて良い。あるいは前記ミラー層は、前記アノード又はカソード内に埋め込まれるか、又は集積されて良い。
【０００７】
当該OLEDデバイスは、（透明領域が不活性領域に対して位置合わせされている場所で）透明であると同時に、（非透明領域が該非透明領域に関連するエレクトロルミネッセント領域の放出光を阻止する場所で）主なすなわちただ一つの方向の放出光を有することができるという利点を有する。前記有機層と前記ミラー層の構造の具体的寸法及び相互の配置に依存して、これらの特性は、広範囲にわたって調節可能である。よって当該OLEDデバイス全体の透明度にはたとえば、前記ミラー層内の透明領域の相対サイズにより影響を及ぼすことができる。しかも前記アノードを介する活性発光と前記カソードを介する活性発光との比は、1:1（両電極を介した発光が等しい）と0:1（一方のみが発光する）の間の範囲で調節可能である。
【０００８】
当該OLEDデバイスの第1好適実施例によると、前記有機層と前記ミラー層の構造は、大域的な位置合わせ及び/又は局所的に完全な位置合わせがなされている。
【０００９】
「大域的な位置合わせ」とは、当該OLEDデバイスが、所与の「位置合わせ軸」（典型的には前記アノード、カソード、及び有機層に対して垂直な軸）を有し、各エレクトロルミネッセント領域は非透明領域に対して揃い、かつ各不活性領域は透明領域に対して揃っている。よってエレクトロルミネッセント/不活性領域と透明/非透明領域のパターンは、局所的には互いにずれているかもしれないが、同一のラスタに従う。
【００１０】
「局所的に完全な位置合わせ」とは、前記位置合わせ軸の方向に、少なくとも1つのエレクトロルミネッセント領域の各点が非透明領域の点に対して揃っていること、及び/又は、不活性領域の各点が透明領域の点と揃っていることを意味する。従って、少なくとも1つのエレクトロルミネッセント/不活性領域と少なくとも1つの透明/非透明領域は位置合わせされ、かつ幾何学的に合同である。
【００１１】
構造が大域的かつ局所的に完全に位置合わせされている設計はたとえば、一方向における当該OLEDデバイスの全発光を阻止するのに用いられて良い。
【００１２】
代替実施例では、前記有機層と前記ミラー層の構造は部分的にしか位置合わせされていない。少なくとも1つのエレクトロルミネッセント領域はたとえば、当該OLEDデバイスの上述した位置合わせ軸に対して非透明領域と一列をなさなくて良いので、第2方向における発光を実現することができる。
【００１３】
「ミラー層」という語は、前記好適実施例では、前記ミラー層の非透明領域は、前記有機層に対向する面で反射性となる本発明の好適実施例の観点から選ばれた（しかし最も一般的には、前記「ミラー層」の非透明領域は関連スペクトル範囲では透明でないことで足りる）。よって前記有機層の対応するエレクトロルミネッセント領域内で発生する光は、前記有機層へ戻されるように反射されることで、損失せずに所望の方向へ放出される。
【００１４】
前記ミラー層の透明領域は、たとえば銀(Ag)、アルミニウム(Al)、銅(Cu)、及び金(Au)からなる群から選ばれる金属を有することが好ましい（が、これらにのみ限定されるわけではない）。
【００１５】
前記ミラー層の非透明領域は典型的には前記ミラー層の面積の約10%〜90%を覆う。前記の覆われた割合が小さくなればなるほど、当該OLEDデバイスの透明度は高くなる。
【００１６】
前記ミラー層の領域内での前記非透明領域の形状及び分布の構成は、相当程度任意に行われて良い。前記非透明領域は、（楕円、円形、長方形、及び他の幾何学形状の）点又はストライプ形状で、かつ規則的又は不規則（任意の）パターン分布で構成されることが好ましい。
【００１７】
前記ミラー層の透明領域及び/又は非透明領域は典型的には、1μm（従来のリソグラフィの下限）〜100μmの範囲の（平均）直径を有して良い。この文脈において、「直径」という語は、非円形の領域についても−たとえば前記形状に完全に内接可能な最大の円の直径として−適切に定められなければならない。前記透明領域及び/又は前記非透明領域の直径は、前記ミラー層がすぐに製造できて、かつ意図しない光学効果（たとえば顕著なパターン又は回折）が回避されるように選ばれることが好ましい。視覚的な快適さ、視認可能なパターンを実現するため、より大きな直径又はより大きな構造は、より小さな直径の領域同様に、又はそれと併せて用いられて良い。
【００１８】
当該OLEDデバイスは典型的には、たとえば機械的な安定性又は環境に対する封止を供するための追加の構造及び/又は層を有する。具体的には当該OLEDデバイスは、前記アノード又はカソードが設けられる担体として機能するガラス又はプラスチック層のような透明基板を有して良い。
【００１９】
前記有機層中のエレクトロルミネッセント領域及び不活性領域の機能的構造は様々な方法で実現されて良い。よってたとえば、前記有機層材料自体が、これらの領域内において様々なエレクトロルミネッセント特性を示すような物理的構造をとることも可能である。他の可能性は、前記アノード及び/又は前記カソードが、電荷キャリア注入特性がそれぞれ異なる複数の領域をなすような構造をとり、通常の注入特性を有する領域が前記（材料的には均一の）有機層内においてエレクトロルミネッセント領域を与える一方で、注入が減少した又は注入されないという特性を有する領域は、前記有機層内において不活性領域を与えることである。
【００２０】
本発明の他の実施例によると、当該OLEDデバイスは、アノード、カソード、及び有機層を備えた多層ユニットをただ1つだけ有するのではなく、複数の前記多層ユニットからなる積層体を有する。これらの多層ユニットの各々は、アノード、カソード、及び有機層を有する。各異なる前記多層ユニットの有機層は、各異なる発光特性−たとえば赤、緑、及び青の範囲での発光ピーク−を有する。しかも上述した前記ミラー層との相互作用を実現するため、前記多層ユニットのうちの少なくとも1つの有機層は機能的に、エレクトロルミネッセント領域と不活性領域をなすような構造をとる。前記多層ユニットの全有機層は機能的に、エレクトロルミネッセント領域と不活性領域をなすような構造をとることが好ましい。対応する構造は、同一かつ互いに位置合わせされていても良いし、又は互いに異なっていて位置合わせされていなくても良い。
【００２１】
本発明の第2態様によると、本発明は、たとえばシンボル若しくは絵等を表示するコンピュータのモニタ又は情報/広告のサインに利用可能なOLEDディスプレイに関する。当該OLEDディスプレイは、上述の種類のOLEDデバイスによって構成される個別的に制御可能な画素のパターンを有することを特徴とする。このことは、前記画素の各々は、アノード、機能を持つような構造をとる有機層、カソード、及びミラー層からなる多層ユニットを（少なくとも）1つ有することを意味する。従来技術において知られているように、当該OLEDディスプレイは、複数のセルにパターン化されることが好ましい。各々が複数の基本色−たとえば赤、緑、及び青で発光する−を有する1組の画素を有する。当該OLEDディスプレイの利点は、当該OLEDディスプレイは少なくとも部分的に透明であると同時に、当該OLEDディスプレイの活性発光が前面と背面とで異なるということである。
【００２２】
本発明はさらに、上述の種類のOLEDデバイスを製造方法に関する。当該方法は、列挙された順序又は他の順序で実行可能な以下の工程を有する。
−  2つの透明電極つまり「アノード」と「カソード」の間に存在する（完全な）エレクトロルミネッセント有機層を調製する工程。この工程は通常のOLEDの周知製法に相当する。前記調製は、他の層−たとえば透明基板−の使用を含んで良い。
−  少なくとも1つの領域におけるエレクトロルミネッセンスを局所的に削除することによって前記有機層の構造を与えることでエレクトロルミネッセント領域と不活性領域の構造を生成する工程。たとえば赤外線照射によって前記有機層内のエレクトロルミネッセンスを破壊する適切な方法は当業者にはよく知られている。
【００２３】
処理された前記領域はエレクトロルミネッセンスに対して不活性であるが依然として透明（なまま）であることに留意して欲しい。
−  前記アノード又は前記カソードにて（直接的又は間接的に）構造が与えられたミラー層を堆積することで、前記ミラー層の少なくとも1つの非透明領域が（最終的に、つまり完成したOLEDデバイスにおいて）前記有機層のエレクトロルミネッセント領域に対して位置合わせされ、かつ前記ミラー層の少なくとも1つの非透明領域が（最終的に）前記有機層の不活性領域に対して位置合わせされる、工程。
【００２４】
当該製造方法の詳細及び変化型についてのさらなる情報については、当該方法の製造物−つまりOLEDデバイス−についての上記記載を参照して欲しい。
【００２５】
前記有機層内において局所的にエレクトロルミネッセンスを削除する好適方法は、特定の波長を有する高強度−たとえば10MW/cm2よりも強い強度−の光を前記有機層へ照射することである。よって有機材料は、エレクトロルミネッセンスを引き起こす過程の連鎖を中断するように、影響を受ける−たとえば分解される−ことが可能である。
【００２６】
当該製造方法の好適実施例によると、前記エレクトロルミネッセンスが局所的に削除される前に、前記ミラー層は前記アノード又は前記カソードに堆積される。この場合、前記ミラー層の構造は、前記有機層内の構造を生成する一種のマスクとして用いられて良い。前記有機層はたとえば前記ミラー層を介して照射されて良い。それにより前記ミラー層の非透明領域は、放射線から保護されるので、エレクトロルミネッセンスを保つ。この方法の利点は、（全領域の）照射走査が単純になること、及び自動的/正確に位置合わせされることである。
【図面の簡単な説明】
【００２７】
【図１】本発明による第1OLEDデバイスの断面を概略的に図示している。
【図２】曲面を有する第2OLEDデバイスの断面を概略的に図示している。
【図３】アノードと有機層との間にミラー層を有する第3OLEDデバイスの断面を概略的に図示している。
【図４】アノードと基板との間にミラー層を有する第4OLEDデバイスの断面を概略的に図示している。
【図５】各異なる色からなる複数の多層ユニットの積層体を有する第5OLEDデバイスの断面を概略的に図示している。
【図６】本発明によるOLEDディスプレイの画素の上面図を表している。
【図７】前記第1OLEDデバイスの製造方法の一連の工程を図示している。
【図８】前記第1OLEDデバイスの製造方法の一連の工程を図示している。
【図９】前記第1OLEDデバイスの製造方法の一連の工程を図示している。
【図１０】注入特性がそれぞれ異なる複数の領域を有するカソードを備える第6OLEDデバイスの断面を概略的に図示している。
【発明を実施するための形態】
【００２８】
本発明の上記及び他の態様は後述する（複数の）実施例を参照することで明らかとなる。これらの実施例は添付図面の助けによる例示により説明される。
【００２９】
図中の同様の参照番号すなわち100の桁だけが異なる番号は同一又は同様の素子を指称する。
【００３０】
透明OLED（有機発光ダイオード）は複数の用途−たとえば光源としての窓、プライバシー保護用窓、マーク、又は装飾用ライト−にとって望ましい。通常のOLEDデバイスが透明部材を有するように製造される場合、前記通常のOLEDデバイスは前面と背面で同時に発光する。しかし複数の用途にとっては、高い透明度を有しながらも背面では発光せずに背面で良好に発光することが好ましい。同時に、これは効率の低下を引き起こしてはならない。
【００３１】
上記問題を解決するため、有機層が機能的に、エレクトロルミネッセント領域と不活性（つまりエレクトロルミネッセントではない）領域を有する構造をと、かつ、(i)前記有機層のエレクトロルミネッセント領域に対して位置合わせされている少なくとも1つの非透明領域及び(ii)前記有機層の不活性領域に対して位置合わせされている少なくとも1つの透明領域がミラー層に供される、OLEDの設計が提案された。以降では、この包括的な概念の様々な好適実施例をより詳細に説明する。
【００３２】
図1は、本発明による第1OLEDデバイス100の概略的断面図を表している。対応する座標系の正のz方向から見ると、OLEDデバイス100は以下の順に積層された層を有する。
−  −たとえばウエハバリアを有するガラス又は透明プラスチックで作られた透明基板110。前記基板は機械的安定性を供し、かつ感受性を有する光エレクトロニクス層を保護する。
−  たとえばインジウム−スズ酸化物(ITO)、ドーピングされた酸化亜鉛、又は有機層からなる、「アノード」と呼ばれる第1透明電極層120。有機層とはたとえばPEDOT:PSSで、場合によっては実効シート抵抗を低下させるために微細な金属グリッド構造と併用される。
−  機能的に（つまりこの実施例では物理的でもある）、エレクトロルミネッセント領域131と不活性（つまりエレクトロルミネッセントではない）領域132を有する構造をとる有機層130。エレクトロルミネッセント領域131と不活性領域132は、互いにx方向に隣り合うように配置され、かつz方向に前記有機層を貫通する。エレクトロルミネッセント領域では、各異なる面から前記層へ注入された電子と正孔が再結合するとき、光は、従来のOLEDから知られた過程によって生成される。不活性領域132は典型的には、エレクトロルミネッセント領域131の改質された材料で構成される。しかし一般的には、不活性領域132は完全に異なる（有機又は無機）材料で構成されて良い。
−  たとえば銀(Ag)の薄い層によって構成される、「カソード」と呼ばれる第2透明電極層140。
−  非透明領域151と透明領域152のパターンで構成される「ミラー層」150。図1の例では、ミラー構造150の構造は、有機層130の構造に対する大域的位置合わせ又は局所的に完全な位置合わせがなされている。前記位置合わせは所与の位置合わせ方向（図示された実施例ではz方向）について判定される。図によって示唆されているように、透明領域152は単純に周囲に何もなくて−つまり外界に対して開かれていて−良い。しかしOLEDデバイス100は、図示されてはいないが透明パッケージングによって上面を仕上げ及び密閉されることが好ましい。
【００３３】
アノード120とカソード140の間に適切な電圧が印加されるとき、エレクトロルミネッセント領域131内に光が発生する。光線L1によって示されているように、この光の一部は、直接基板110へ向かって、所望であるようにOLEDデバイス100の前面（図中底部）を介してOLEDデバイス100を飛び出す。
【００３４】
光線L2によって示されているように、発生した光の他の部分は、OLEDデバイス100の背面へ向かうように反対方向（正のz方向）に放出される。しかしミラー層150の非透明領域151により、前記背面を介した放出は阻止される。非透明領域151が典型的には底面で反射性であるので、光線L2は単純には吸収されない代わりに反射されるので、光線L2もまた前面を介してOLEDデバイスを飛び出す。
【００３５】
光線LTとLT’によって示されているように、環境光は自由に、ミラー層150の透明領域152内においてOLEDデバイス100を通過することができる。その結果OLEDデバイス100は、（少なくとも部分的に）透明であり、かつ同時に、（図1における負のz方向において）活性光の主要なすなわち基本的な放出方向を有する。
【００３６】
概略的に過ぎず正しい縮尺ではない図1は、エレクトロルミネッセント領域131で発生して正のz方向に対してある角度をなして導光される光線L3は、透明領域152を介してOLEDデバイス100を飛び出す。そのような前記背面を介した発光の減少が望ましくない場合には、たとえばそのような発光の減少は、非透明領域152を、対応するエレクトロルミネッセント領域131よりもある程度大きくすることによって阻止されて良い。
【００３７】
図2は第2OLEDデバイス200の代替設計を図示している。基本的には、第2OLEDデバイス200の構造は第1OLEDデバイス100の構造に類似しているので、再度詳細に説明する必要はない。第2OLEDデバイス200の第1差異は、基板210が曲率を有することである。その理由はたとえば、基板210がガラスレンズ又は可撓性基板だからである。よって他の層も曲率を有する。第2差異は、非透明領域251と透明領域252を有するような構造をとるミラー層250がアノード220と隣接するように−ここではアノード220と基板210の間に−設けられていることである。
【００３８】
図3は、本発明による第3OLEDデバイス300を図示している。繰り返しになるが基本設計は図1の基本設計と類似している。図が示唆しているように、非透明（たとえば金属）領域351は、アノード320の透明材料中に埋め込まれて良い。
【００３９】
図4は、上述の実施例の変化型として、非透明領域451を有するような構造をとるミラー層450がアノード420と基板410の間に設けられる第4OLEDデバイス400を図示している。繰り返しになるが非透明領域451はアノード420の透明材料中に埋め込まれて良い。
【００４０】
図5は、本発明による第5OLEDデバイス500を図示している。繰り返しになるが基本設計は図1の基本設計と類似している。しかしOLEDデバイス500は1つだけではなく、2つの多層ユニットR,Gを有する。第1アノード520R、第1有機層530R、及び第1カソード540Rによって構成される第1多層ユニットRは基板510上に設けられる。有機層530Rはスペクトルの赤色部分に発光ピークを有する。第2アノード520G、第2有機層530G、及び第2カソード540Gによって構成される第2多層ユニットGは第1多層ユニットR上に設けられる。有機層530Gはスペクトルの緑色部分に発光ピークを有する。この第2多層ユニットGの上部では、構造を有するミラー層550が設けられる。
【００４１】
各異なる有機層が各異なる発光特性を備えるため、赤色光LR及び緑色光LGが、OLEDデバイス500によって放出されて良い。2つの多層ユニットR,Gの電極が個別的に制御可能である場合、OLEDデバイス500の色座標上の点はそれに従って調節されて良い。
【００４２】
当然のこととして、さらに他の多層ユニット−具体的には青色光を放出する一のさらなる多層ユニット−が加えられて良いことにも留意して欲しい。
【００４３】
図6は、OLEDディスプレイ1000の（小さな）一部分の上面図を表している。通常のように、OLEDディスプレイ1000は、多数の個別的に制御可能な発光画素を有する。それぞれ異なる基本色を有する3つの画素からなる群は互いに近接して設けられる。OLEDディスプレイ1000では、基本色である赤、緑、及び青からなる図示された円形画素PR,PG,PBは、図1で述べた第1OLEDデバイス100によって構成される。これらの画素の上面は、ミラー層150の非透明領域151と残りの透明領域152を図示している。
【００４４】
図7-9は、第1OLEDデバイス100の製造方法の一連の工程を図示している。
【００４５】
図7によると、当該製造方法は、下から順に、透明基板110、透明アノード120、均一なエレクトロルミネッセント有機層130’、及び透明カソード140を有する。有機層130’はたとえば小さな分子(smOLED)又はポリマーOLED層であって良い。
【００４６】
図8によると、点状の厚い金属（たとえばAg又はAl）構造が、第1追加工程において、「ミラー層」150として前記透明カソード上に堆積される。前記ミラー層は、好適には反射性かつ伝導性である非透明領域151を有する。前記パターンの点は全領域の70%よりもはるかに小さな領域を覆うことで、透明度を許容可能な状態に維持しなければならない。所望の外見に依存して、点の形状と配置は自由に選ばれて良い。たとえば、正方形、長方形、又は円形の点が、規則的な配置又は任意の配置で用いられて良い。後者は、干渉やモアレ効果が緩和又は抑制されるという利点を有する。点以外の形状−たとえばストライプ又は同心円−も可能である。特に金属領域が十分に視認可能である実施例にとっては、最終的な外見におけるより大きな設計自由度が供される。当該OLEDは、たとえばガラスによるパッケージング又は透明薄膜によるパッケージング（図示されていない）によって密閉されて良い。
【００４７】
図9は、当該OLEDが、背面（図中上部）からの高強度の光Lに曝露される第2追加工程を図示している。前記第2追加工程により、（ポリマーベースのデバイスの場合では）当該OLEDからのエレクトロルミネッセンスは局所的に抑制され、又は、局所的な電流の素子及び/若しくは注入の防止は、キャリア（正孔又は電子）注入層−たとえばAlq3若しくはNPD又はこれらの界面−のうちの少なくとも1つの局所的改質によって実現される。このようにエレクトロルミネッセンスを抑制する間、前記ミラー層の点状構造は前記有機層を局所的に保護する。それにより、領域131はエレクトロルミネッセント状態を保つ。この過程は自己整合であるので、曝露は全面積の曝露であって良い。
【００４８】
密閉前にエレクトロルミネッセンスを抑制することも可能である。エレクトロルミネッセンスを抑制する典型的な過程は、特許文献2で見つけることができる。
【００４９】
当該OLED内でのエレクトロルミネッセンスの抑制又は電流注入の局所的な防止の結果、良好な効率で前方にのみ発光するデバイスとなる。依然として前記背面から当該OLEDデバイスを見ることができる一方で、当該OLEDデバイスは発光する。
【００５０】
記載された製造方法の様々な修正型が可能である。全領域の曝露に代わって、たとえばパターニングした状態で露光することで、上面からある光の効果を得ることも可能である。OLEDデバイス100の前面では、様々な光強度をこのようにして実現することができる。たとえば前面の明るいスポットでは、そのスポットを飛び出す明るい光線は少なく、かつ背面では、暗いスポットでは、そのスポットから光線が飛び出す。しかも前記ミラー層は、前記有機層と直接的に接するように交互に堆積されることで、前記有機層と前記アノード又はカソードの間に挟まれて良い。
【００５１】
図2,3,4に図示されているように、前記ミラー層が前記アノードに堆積されるとき、エレクトロルミネッセンスを抑制する曝露が、当該OLEDデバイスの前面から実行されなければならない。
【００５２】
図10は、本発明によるOLEDデバイス600の第6実施例を図示している。図1の実施例に対する第1差異は、ミラー層650の非透明領域651は、カソード640へ集積され、かつ有機層630と接触するように堆積されることである。しかも有機層630におけるエレクトロルミネッセント領域631と不活性領域632の機能的構造は、この実施例においては、電荷キャリアの注入の差異によって実現される。特に、カソード640の材料は悪い注入特性を有する一方で、非透明領域651の反射点は良好な注入を有する（特許文献3を参照のこと）。この場合、エレクトロルミネッセンスのレーザー抑制は必要とされない（とはいえレーザー抑制が適用されても良い）。同一の手順もまたアノード面に適用されて良い。
【００５３】
上述の実施例はすべて、可撓性透明OLED構造と併用されて良い。しかも当然のこととして、2つ以上のミラー層が供されることも可能である−たとえば一の層がアノードに供されて他の層がカソードに供される−。
【００５４】
上述の種類のOLEDデバイスの応用例は以下を含む。
−  夜間にのみ部屋へ光を放出する一方で日中は太陽を通過させることのできる窓。必要であれば、より多くの光を日光へ加えることができる。
−  温室灯。日中は（屋根や壁からの）太陽を利用し、かつ赤色（又は他の色の）OLEDパネルが成長を促進するのに加えられて良い。
−  様々な設計ランプ
−  マークの設計
−  会議室の「使用中/使用可」を表示するランプ/窓
【図１】
0005950079.tif 000002
【図２】
0005950079.tif 000003
【図３】
0005950079.tif 000004
【図４】
0005950079.tif 000005
【図５】
0005950079.tif 000006
【図６】
0005950079.tif 000007
【図７】
0005950079.tif 000008
【図８】
0005950079.tif 000009
【図９】
0005950079.tif 000010
【図１０】
0005950079.tif 000011